(57)【要約】【課題】メンテナンス等の作業を低減しつつ、デジタル通信分野に関連する電子機器やケーブル類を収納する筐体内部の発熱を効率よく冷却する。【解決手段】本発明は、光ファイバ回線の集線装置を収納する収納ボックスであって、集線装置を収納する筐体３１と、筐体３１の対向する面に配設される一対のファン３２，３３と、これらファン３２，３３の駆動を制御する制御部３４を有し、制御部３４は、ファン３２，３３による筐体３１内部の通気方向を周期的に、或いは筐体３１内の温度上昇に応じて反転させる。【選択図】  図２
2005150401.tif 000002
【特許請求の範囲】
【請求項１】
光ファイバ回線の集線装置を収納する収納ボックスであって、
前記集線装置を収納する筐体と、
前記筐体の対向する面に配設される一対の送風手段と、
前記一対の送風手段の駆動を制御する制御手段を有し、
前記制御手段は、前記一対の送風手段による前記筐体内部の通気方向を反転させる
ことを特徴とする光ファイバ集線装置の収納ボックス。
【請求項２】
前記制御手段は、経過時間を計測するタイマ手段を備え、該タイマ手段の計測結果に基づいて、前記一対の送風手段の送風方向を反転させることにより、前記筐体内部の通気方向を周期的に反転させることを特徴とする請求項１に記載の光ファイバ集線装置の収納ボックス。
【請求項３】
前記制御手段は、筐体内部の温度を測定する温度測定手段を備え、該温度測定手段の測定結果に基づいて、前記一対の送風手段の送風方向を反転させることにより、前記筐体内部の通気方向を反転させることを特徴とする請求項１に記載の光ファイバ集線装置の収納ボックス。
【請求項４】
収納ボックス内に収納された光ファイバ回線の集線装置を冷却する方法であって、
前記集線装置を収納する筐体の対向する面に一対の送風手段を配設し、
前記一対の送風手段による前記筐体内部の通気方向を反転させる
ことを特徴とする光ファイバ集線装置の冷却方法。
【請求項５】
前記通気方向の反転は、経過時間の計測結果に基づいて周期的に行うことを特徴とする請求項４に記載の光ファイバ集線装置の冷却方法。
【請求項６】
前記通気方向の反転は、前記筐体内部の温度の測定結果に基づいて行うことを特徴とする請求項４に記載の光ファイバ集線装置の冷却方法。
【発明の詳細な説明】
【技術分野】
【０００１】
本発明は、ＦＴＴＨ（Fiber To The Home）等の光ファイバ回線網の集線装置及びこの集線装置に集約される光ファイバケーブルを収納する光ファイバ集線装置の収納ボックス及びその冷却方法に関する。
【背景技術】
【０００２】
近年、高速デジタル通信を実現する通信技術として、いわゆるＦＴＴＨ（Fiber To The Home）と呼ばれる光ファイバによる回線網が普及しつつある。この光ファイバ通信システムでは、基地局から、加入者宅近隣まで、大容量のケーブルを敷設し、加入者宅近隣に設置された集線装置により、複数の経路（光ファイバ）に分岐させる。このような集線装置及びこの集線装置に集約される光ファイバケーブルの端子は、屋外に設置された収納ボックスに接続・収納される。
【０００３】
かかる集線装置には、スイッチングハブやメディアコンバータ等の高出力の電子機器から構成されており、駆動時には、各装置の消費電力に比例して温度が上昇する傾向にあり、装置が発熱によって破損するのを防止する必要がある。
【０００４】
このような、デジタル通信分野に関連する発熱装置を内蔵する筐体の冷却方法として、例えば、特許文献１に開示された技術がある。この特許文献１に開示された技術では、筐体内部の発熱装置間に所定の間隙を設け、前記筐体内部の空気を、間隙を通じて循環させ、筐体の一部に備えられた放熱フィン部によって、筐体の外部を循環する外気循環経路を通る空気によって大気中に放熱する。
【特許文献１】特開２００２−２６５５８号公報
【発明の開示】
【発明が解決しようとする課題】
【０００５】
しかしながら、上述したように収納ボックスは、加入者宅近隣の屋外に設置される場合が多く、大気中の粉塵に曝される可能性が高い。このため、筐体冷却用の放熱フィンには、粉塵除去用のフィルタを取り付ける構成とするのが通常である。
【０００６】
ところが、上述した特許文献１に開示された技術では、放熱フィンによって筐体内の空気を循環させる構成であるため、放熱フィンのフィルタが大気中の粉塵等により目詰まりを起こし、筐体内の空気の循環や、放熱が正常に行われなくなる惧れがあり、筐体内の温度が上昇し、内部の装置類が破損する可能性が高い。このため、上述した、従来の技術では、フィルタの交換や放熱フィンの点検等を頻繁に行わなければならず、その人件費が運用コストを増大させる原因の一つにもなっている。
【０００７】
そこで、本発明は、前記した従来技術の問題点に鑑みてなされたものであり、その目的は、メンテナンス等の作業を低減しつつ、デジタル通信分野に関連する電子機器やケーブル類を収納する筐体内部の発熱を効率よく冷却することのできる冷却手段を備えた光ファイバ集線装置の収納ボックス及びその冷却方法を提供することにある。
【課題を解決するための手段】
【０００８】
上記課題を解決するために、請求項１に係る光ファイバ集線装置の収納ボックスは、光ファイバ回線の集線装置を収納する収納ボックスであって、集線装置を収納する筐体と、筐体の対向する面に配設される一対の送風手段と、一対の送風手段の駆動を制御する制御手段を有し、制御手段は、一対の送風手段による筐体内部の通気方向を反転させる。
【０００９】
このような請求項１に係る光ファイバ集線装置の収納ボックスによれば、筐体内の通気方向を反転させ、送風手段のフィルタの外側に付着した粉塵等を、大気中に放出し除去することができるため、フィルタが目詰まりを起こすのを防止し、フィルタの目詰まりによって筐体内の通気が阻害され、筐体内の温度が上昇するのを防止することができる。また、この通気方向を自動的に常時行うことによって、フィルタの粉塵除去効果が早期に低減するのを防止することができるため、フィルタ交換のメンテナンス作業を低減することができるとともに、装置の破損頻度も低減させることができ、通信システムの運用コストの低廉化を図ることができる。
【００１０】
請求項２に係る発明の光ファイバ集線装置の収納ボックスにおいて、制御手段は、経過時間を計測するタイマ手段を備え、タイマ手段の計測結果に基づいて、一対の送風手段の送風方向を反転させることにより、筐体内部の通気方向を周期的に反転させることが好ましい。このような請求項２に係る光ファイバ集線装置の収納ボックスによれば、通気方向の反転を、タイマ手段により自動で周期的に行うことができる。
【００１１】
請求項３に係る発明の光ファイバ集線装置の収納ボックスにおいて、制御手段は、筐体内部の温度を測定する温度測定手段を備え、温度測定手段の測定結果に基づいて、一対の送風手段の送風方向を反転させることにより、筐体内部の通気方向を反転させることが好ましい。このような請求項３に係る光ファイバ集線装置の収納ボックスによれば、装置の設置場所の気候が変化した場合や、万が一、フィルタの目詰まりや一方の送風手段の故障が発生した場合であっても、それによる温度上昇を検出し、適宜、通気方向を反転させることができ、季節や気候に応じた制御が可能となる。
【００１２】
請求項４に係る光ファイバ集線装置の冷却方法は、収納ボックス内に収納された光ファイバ回線の集線装置を冷却する方法であって、集線装置を収納する筐体の対向する面に一対の送風手段を配設し、一対の送風手段による筐体内部の通気方向を反転させる。
【００１３】
このような請求項４に係る光ファイバ集線装置の冷却方法によれば、筐体内の通気方向を反転させ、フィルタが目詰まりを起こすのを防止し、筐体内の温度が上昇するのを防止することができる。
【００１４】
請求項４に係る発明の光ファイバ集線装置の冷却方法において、通気方向の反転は、経過時間の計測結果に基づいて周期的に行うことが好ましい。また、請求項４に係る発明の光ファイバ集線装置の冷却方法において、通気方向の反転は、筐体内部の温度の測定結果に基づいて行うことが好ましい。これらの場合には、通気方向の反転を、一定の周期や、装置の設置場所の気候に応じた通気方向の制御が可能となる。
【発明の効果】
【００１５】
以上の説明したように本発明の光ファイバ集線装置の収納ボックス及びその冷却方法によれば、送風手段による通気方向を反転させることにより、フィルタの目詰まりを低減することができ、これによりメンテナンス等の作業の頻度を低減しつつ、デジタル通信分野に関連する電子機器やケーブル類を収納する筐体内部の発熱を効率よく冷却することができる。
【発明を実施するための最良の形態】
【００１６】
［第１実施形態］
以下に、図面を参照して、本発明を詳細に説明する。図１は、第１実施形態に係る収納ボックスの外観を示す斜視図であり、図２（ａ）は、その内部構成を示す正面図であり、図２（ｂ）は、その下面図である。
【００１７】
図１及び図２に示すように、本実施形態に係る収納ボックス３は、例えば、光ファイバ回線の加入者宅近隣に設置された電柱等に取り付けられる矩形状の筐体３１を本体とするものである。この筐体３１内には、ハブ装置やメディアコンバータ及び配線ケーブル類が内蔵されており、局側から敷設されたケーブル４と、ケーブル４から分岐された分岐線１２が接続されている。また、この収納ボックス３に対する電源の供給は、収納ボックス３の上方に配設された電源ボックス２２から行われる。
【００１８】
また、本実施形態に係る筐体３１は６面体をなし、その面のうち、対向する２面、すなわち筐体３１の左右に、一対の送風手段であるファン３２，３３を備えている。このファン３２，３３は、一方のファンにより筐体３１の内部に空気を吸引するとともに、他方のファンにより内部の空気を大気中に放出することにより、筐体３１内部に通気させる手段であり、本実施形態では、その大気側をフィルタ（図示せず）で保護されており、大気吸引時における粉塵の吸入を防止するようにしている。
【００１９】
そして、本実施形態では、図３に示すように、これら一対のファン３２，３３による筐体３１内部の通気方向を周期的に反転させる。具体的には、図４に示すように、筐体３１内部に、一対のファン３２，３３の駆動を制御する制御部３４と、一定の周期で、経過時間を計測するタイマ部３５とを設ける。制御部３４は、タイマ部３５の計測結果に基づいて、ファン３２，３３の送風方向を反転させ、筐体３１内部の通気方向を周期的に反転させる。
【００２０】
なお、本実施形態における制御部３４には、筐体３１内部の温度を測定する温度測定手段として、サーモスタット３６を備え、このサーモスタットの測定結果に基づき、筐体３１内の温度上昇に応じて、通気方向を反転させる機能も備えている。すなわち、ファン３２，３３のフィルタが目詰まりを起こしたり、ファンの一つが故障するなどにより、空冷効果が低下した場合には、タイマ部３５による周期よりも高い頻度で反転させる必要が生じる場合が想定され、この場合には、タイマ部３５が測定する周期に関わらず、通気方向を反転させる。
【００２１】
また、本実施形態における制御部３４には、ネットワークに対してデータを送受信する通知部３７が備えられており、上述した、周期的な反転及び温度上昇に応じた反転によっても、温度が低下しない場合、システムに何らかの障害が発生した可能性があり、その旨を通知部３７を通じて、基地局や管理センターに通知し、装置の破損を未然に防ぐ機能も備えている。
【００２２】
なお、本実施形態に係る収納ボックス３は、図５に示すように、直射日光による内部温度の上昇や、雨水による装置破損を防止するために、外部鋼板を二重構造としている。
【００２３】
このような構成の収納ボックス、及び収納ボックスを用いた冷却方法によれば、周期的に或いは温度上昇に応じて、筐体３１内の通気方向を反転させ、ファン３２，３３のフィルタの外側に付着した粉塵等を、大気中に放出し除去することができるため、フィルタが目詰まりを起こすのを防止し、フィルタの目詰まりによって筐体３１内の通気が阻害され、筐体３１内の温度が上昇するのを防止することができる。具体的には、図６に示すように、通常の消費電力２２５Ｗのときの温度上昇を約６℃程度に、抑制することができる。
【００２４】
［第２実施形態］
次いで、本発明に係る収納ボックスの第２実施形態について説明する。本実施形態では、上述した第１実施形態における収納ボックスを、ループ状光ファイバ通信システムの集線装置に適応している。図７は、収納ボックスをループ状光回線に適応した場合を例示する説明図である。
【００２５】
同図に示すように、本実施形態に係るループ状光ファイバシステムは、基地局１の局舎内設置されたメディアコンバータ７と、加入者宅２が属する所定地域内に設置された収納ボックス３と、この所定値域内に敷設されたループ状線路１２と、ループ状線路１２から引込線１４を分岐させるスプリッタ１３と、局側集線装置３から敷地内に設置されたメディアコンバータ８とから概略構成される。
【００２６】
メディアコンバータ７は、異なる伝送媒体(例えば光ファイバと銅線ケーブル)を接続し、信号を相互に変換する装置であり、本実施形態では、電気信号と光信号との相互変換を行い、ファイバケーブル４を通じて各収納ボックス３内に収納された局側集線装置に対して電気信号の送受信を行う。なお、本実施形態において、ファイバケーブル４は、局舎から起線点９までは地下に埋設され、起線点９において地上へ導出されて収納ボックス３内の局側集線装置に接続されている。また、本実施形態において、局側集線装置３に接続されるファイバケーブルは、敷設後稼働していないいわゆるダークファイバであり、通信事業者間の契約に基づいて貸借される回線を用いる。
【００２７】
ループ状線路１２は、光ファイバの始端及び終端が、局側集線装置３にそれぞれ接続され、ループ状をなすファイバケーブルであり、架線方式により加入者宅２が属する地域内に敷設される。なお、本実施形態では、１ユニットの局側集線装置３あたり、８ループ（８芯）のループ状線路１２が接続されている。また、このループ状線路１２には、複数（本実施形態では、最大８個）のスプリッタ１３が配設されており、１ユニットで６４加入が収容可能となっている。
【００２８】
ループ状線路１２においては、当該局側集線装置３固有の制御信号が、局側集線装置３から、加入者側ノード装置に対して定期的に送信されており、この制御信号に応答した加入者ノード装置に対して、データ伝送のためのタイムスロット及びTagIDを設定し、このタイムスロット及びTagIDに基づいて、各ノード装置毎の通信を行う。
【００２９】
また、本実施形態に係る収納ボックス３は、上述した第１実施形態と同様に、筐体３１が６面体をなし、その面のうち、対向する２面、すなわち筐体３１の左右に、一対の送風手段であるファン３２，３３を備えている。このファン３２，３３は、一方のファンにより筐体３１の内部に空気を吸引するとともに、他方のファンにより内部の空気を大気中に放出することにより、筐体３１内部に通気させる手段であり、本実施形態では、その大気側をフィルタ（図示せず）で保護されており、大気吸引時における粉塵の吸入を防止するようにしている。そして、本実施形態においても、一対のファン３２，３３による筐体３１内部の通気方向を周期的に反転させる。
【００３０】
収納ボックス３内の局側集線装置は、図８に示すように、ハブ１１と、ループ状線路１２の始端及び終端のそれぞれに接続され、ループ状線路１２に対して、基地局１側から入出力される信号を光信号として送受する第１及び第２の局側送受信機であるメディアコンバータ１１ａ，１１ｂを備えている。具体的に、本実施形態に係る局側集線装置３では、１ループあたり２個のメディアコンバータ（メディアコンバータ１１ａ，１１ｂ）を使用することから、１ユニット（１シャーシ）あたり、２個ずつ８組、計１６個のメディアコンバータが収容されている。
【００３１】
ハブ１１は、局側から入力される信号をメディアコンバータ１１ａ，１１ｂに振り分ける装置であり、本実施形態では、局側から入力される同一の信号をメディアコンバータ１１ａ，１１ｂにそれぞれ割り振り、メディアコンバータ１１ａ，１１ｂからループ状線路１２に対して、同時に順方向及び逆方向に送出させる。本実施形態において、ループ状線路１２で送受信される光信号は、具体的に、上り信号の波長が１．３μｍであり、下り信号の波長が１．５５μｍとなっており、メディアコンバータ１１ａ，１１ｂから、同時に光信号が送出され、ループ状線路１２の反対側のメディアコンバータが波長１．５５μｍの光を受信した場合には、一方のメディアコンバータにおいてブロッキング（光送信停止、データ中継停止）を行い、上り信号（波長）１．３μｍ）の信号のみが受信されるようになっている。
【００３２】
メディアコンバータ８は、上記スプリッタ１３とともに加入者側ノード装置を構成し、異なる伝送媒体(例えば光ファイバと銅線ケーブル)を接続し、信号を相互に変換する装置であり、本実施形態では、ループ状線路１２からスプリッタ１３を介して加入者敷地内に引き込まれた引込線１４により入出力される光信号と電気信号との相互変換を行う。また、このメディアコンバータ８では、送信信号の光波長を１．３μｍとし、受信信号の光波長を１．５μｍと設定されており、他の加入者のメディアコンバータ７からの上り信号が受信されないようになっている。
【００３３】
このような本実施形態に係る光ファイバ通信システムによれば、周期的に或いは温度上昇に応じて、筐体３１内の通気方向を反転させ、ファン３２，３３のフィルタの外側に付着した粉塵等を除去することができるため、フィルタが目詰まりを起こすのを防止することができる。特に、本実施形態のように、ループ状の光ファイバ通信システムのように、多数の回線が集約されるシステムであっても、メンテナンスの頻度を低減しつつ、筐体内の温度上昇を適切に防止することができる。
【図面の簡単な説明】
【００３４】
【図１】第１実施形態に係る収納ボックスの外観構成を示す斜視図である。
【図２】第１実施形態に係る収納ボックスの構成を示す正面図及び下面図である。
【図３】第１実施形態に係る収納ボックスの動作を示す説明図である。
【図４】第１実施形態に係る収納ボックスのファンを制御するための構成を示すブロック図である。
【図５】第１実施形態に係る収納ボックスの外部構造を示す模式図である。
【図６】第１実施形態における収納ボックス内の温度変化を示すグラフ図である。
【図７】第２実施形態に係る光ファイバ通信システムの概略構成を示す説明図である。
【図８】第２実施形態に係る光ファイバ通信システムの構成を示すブロック図である。
【符号の説明】
【００３５】
１…基地局
２…加入者宅
３…収納ボックス
４…ファイバケーブル
７，８…メディアコンバータ
９…起線点
１１…ハブ
１１ａ，１１ｂ…メディアコンバータ
１２…ループ状線路
１３…スプリッタ
１４…引込線
２２…電源ボックス
３１…筐体
３２，３３…ファン
３４…制御部
３５…タイマ部
３６…サーモスタット
３７…通知部
【図１】
2005150401.tif 000003
【図２】
2005150401.tif 000004
【図３】
2005150401.tif 000005
【図４】
2005150401.tif 000006
【図５】
2005150401.tif 000007
【図６】
2005150401.tif 000008
【図７】
2005150401.tif 000009
【図８】
2005150401.tif 000010